(57)【特許請求の範囲】
【請求項１】
破断可能な封止フィルムで封止された液体用紙容器の注出孔に突設される開封刃を内蔵するスパウトとキャップとからなる注出口栓において、前記キャップの天板下面に、上段筒とこの上段筒より径が小さい下段筒とからなり、且つ、それぞれの外周面に螺旋状の複数の案内斜面を形成する二段のガイド用内筒を垂設し、前記スパウトの注出筒内面に複数の縦溝を形成し、前記スパウトの注出筒内に、前記縦溝を摺動する複数の突起を外周面にもち、内面に複数の縦溝を形成し、且つ、内周面に前記ガイド用内筒の上段筒の案内斜面と摺接する複数の案内斜面を形成するカバー用筒体を摺動可能に挿着し、このカバー用筒体の縦溝に摺動する複数の突起を外周面にもち、下端に開封刃を形成し、且つ、内周面に前記ガイド用内筒の下段筒の案内斜面と摺接する複数の案内斜面を形成する開封用筒体を摺動可能に挿着し、キャップを取り外す途中において、降下する開封用筒体の先端の開封刃で封止フィルムを破断し、キャップを取り外したときには、カバー用筒体の先端が開封用筒体の先端より下降することを特徴とする開封刃を内蔵する注出口栓。
【請求項２】
前記ガイド用内筒の上段筒の案内斜面及び前記カバー用筒体の案内斜面を、所定の回転範囲の下端から上端へ螺旋状に形成し、且つ、前記ガイド用内筒の下段筒の案内斜面及び前記開封用筒体の案内斜面を、前記ガイド用内筒及びカバー用筒体の案内斜面を形成した回転範囲より狭い回転範囲の下端から上端へ螺旋状に形成したことを特徴とする請求項１記載の開封刃を内蔵する注出口栓。
【発明の詳細な説明】
【０００１】
【発明の属する技術分野】
本発明は、清酒、果汁飲料、調味料、油類や液体洗剤などに使用される液体用紙容器の頂部に突設される開封刃を内蔵する注出口栓に関するものである。
【０００２】
【従来の技術】
従来、液体用紙容器（２０）は、例えば図５に示すように、四角形状の胴部をもち、その切妻屋根形の頂部傾斜板（２１）には、注出のし易さから注出口栓（１０）が突設されたものが広く使用されていた。この注出口栓は、スパウト（１００）（注出口具）にキャップ（２００）を冠着したものであり、注出口栓に開封刃を内蔵するものは、例えば実公平５−３５０５８号公報で開示されたものがある。この開封刃を内蔵する注出口栓は、破断可能なフィルムで封止した液体用紙容器の注出孔に取着されこの注出孔に対応した円筒部を備える注出口具と、この注出口具の円筒部に挿入され下縁に刃部を備える略筒状の開封刃と、円筒部を覆うようにして取着されたキャップとからなり、円筒部の内面とこれに相対する開封刃の外面との両者は、互いに摺接して上下方向に移動可能な回転防止手段を備えて、開封刃が円筒部に対して上下移動可能に設けられ、開封刃は、開封刃の筒壁部に上縁から下縁側に向けて傾斜して上方に面する斜面を備え、キャップは、下方に面して開封刃の斜面に摺接する案内斜面を備える筒体を有して、キャップの回転時に開封刃を下降可能に設けたものであり、内容物を注出時に、図５に示すように、キャップ（２００）を回転させて取り外すときに、キャップの回転により開封刃（１４２）を降下させて封止するフィルム（３０）を破断して容器を開封するものであった。
【０００３】
【発明が解決しようとする課題】
ところで、最近、環境保全や省資源の立場から、使用済みの容器包装を分別回収して、再商品化することが求められるようになってきた。しかしながら、上述の従来の開封刃を内蔵する注出口栓を取り付けた液体用紙容器（２０）は、図５に示すように、注出口栓（１０）の開封刃（１４２）が容器の内側に突出したままになっていると、容器を解体して分別回収するときに、手などに怪我をし易い危惧があった。
【０００４】
本発明は、上述の従来の開封刃を内蔵する注出口栓の問題を解決したものであり、液体用紙容器を解体して分別回収するときに、注出口栓の開封刃で手などに怪我をする危惧のない開封刃を内蔵する注出口栓を提供するものである。
【０００５】
【課題を解決するための手段】
本発明の第１の発明は、図１及び図３に示すように、破断可能な封止フィルム（３０）で封止された液体用紙容器（２０）の注出孔に突設される開封刃（１４２）を内蔵するスパウト（１００）とキャップ（２００）とからなる注出口栓において、前記キャップ（２００）の天板（２１０）下面に、上段筒（２３１）とこの上段筒より径が小さい下段筒（２３２）とからなり、且つ、それぞれの外周面に螺旋状の複数の案内斜面（２３３と２３４）を形成する二段のガイド用内筒（２３０）を垂設し、前記スパウト（１００）の注出筒（１２０）内面に複数の縦溝（１２２）を形成し、前記スパウトの注出筒内に、前記縦溝を摺動する複数の突起（１３１）を外周面にもち、内面に複数の縦溝（１３２）を形成し、且つ、内周面に前記ガイド用内筒の上段筒の案内斜面（２３３）と摺接する複数の案内斜面（１３３）を形成するカバー用筒体（１３０）を摺動可能に挿着し、このカバー用筒体の縦溝（１３２）に摺動する複数の突起（１４１）を外周面にもち、下端に開封刃（１４２）を形成し、且つ、内周面に前記ガイド用内筒の下段筒の案内斜面（２３４）と摺接する複数の案内斜面（１４４）を形成する開封用筒体（１４０）を摺動可能に挿着し、キャップを取り外す途中において、降下する開封用筒体の先端の開封刃で封止フィルムを破断し、キャップを取り外したときには、カバー用筒体の先端が開封用筒体の先端より下降することを特徴とする開封刃を内蔵する注出口栓（１０）である。
【０００６】
本発明の第２の発明は、図３に示すように、前記ガイド用内筒（２３０）の上段筒（２３１）の案内斜面（２３３）及び前記カバー用筒体（１３０）の案内斜面（１３３）を、所定の回転範囲の下端から上端へ螺旋状に形成し、且つ、前記ガイド用内筒の下段筒（２３２）の案内斜面（２３４）及び前記開封用筒体（１４０）の案内斜面（１４４）を、前記ガイド用内筒及びカバー用筒体の案内斜面を形成した回転範囲より狭い回転範囲の下端から上端へ螺旋状に形成したことを特徴とする第１の発明に記載の開封刃を内蔵する注出口栓である。
【０００７】
本発明の開封刃を内蔵する口栓を頂部に突設した液体用紙容器は、キャップを取り外すためにキャップを左回転して上昇させると、キャップの天板から垂設するガイド用内筒の上段筒の外周面の案内斜面と摺接する案内斜面を内周面にもちスパウトの注出筒内側に収容されているカバー用筒体が、右回転方向の力を受けるが、カバー用筒体の外周面の突起がスパウトの注出筒の縦溝と摺接しているため、縦溝に沿ってカバー用筒体が下方に移動する。同様に、キャップのガイド用内筒の下段筒の外周面の案内斜面と摺接する案内斜面を内周面にもちカバー用筒体内側に収容されている開封用筒体が、右回転方向の力を受けるが、開封用筒体の外周面の突起がカバー用筒体の縦溝と摺接しているため、縦溝に沿って開封用筒体が下方に移動する。このため、キャップを取り外す途中で、図２に示すように、下降する開封用筒体（１４０）の下端の開封刃（１４２）が容器を封止する封止フィルム（３０）を破断して容器を開封し、キャップを取り外したときには、図３に示すように、容器の内側に突出した開封用筒体（１４０）の先端の開封刃（１４２）よりカバー用筒体（１３０）の先端が降下して、開封用筒体をカバー用筒体が覆うため、使用後の容器を解体して分別回収するときに、手などを怪我する危惧がない。
【０００８】
また、ガイド用内筒の上段筒の案内斜面及びカバー用筒体の案内斜面を形成する回転範囲よりも、ガイド用内筒の下段筒の案内斜面及び開封用筒体の案内斜面を形成する回転範囲を狭くした本発明の開封刃を内蔵する口栓は、前者の案内斜面の勾配よりも後者の案内斜面の勾配が急勾配になるため、カバー用筒体の降下速度よりも開封用筒体の降下速度が早くなり、キャップの取り外す途中では、開封用筒体の先端の開封刃がカバー用筒体の先端より早く封止フィルムに到達し、且つ、降下速度が早いので封止フィルムの破断性が良好となる。
【０００９】
【発明の実施の形態】
本発明の開封刃を内蔵する注出口栓は、図１に示すように、破断可能な封止フィルム（３０）で封止された液体用紙容器（２０）の注出孔に突設されるものであり、スパウト（１００）とカバー用筒体（１３０）と開封用筒体（１４０）とキャップ（２００）とから構成される。これら構成部材は、ポリエチレン、ポリプロピレンなどの熱可塑性樹脂を用いて射出成形法で作製するものである。なお、口栓の液体用紙容器への取り付けは、例えば、スパウトの下方のフランジ（１１０）の下面を、容器の頂部傾斜板の上面に超音波シール法などにより熱融着するものである。
【００１０】
そして、キャップ（２００）は、図３に示すように、周壁（２２０）の内周面にスパウトとの螺合部（２２１）を形成し、天板（２１０）の下面に、上段筒（２３１）とこの上段筒より径が小さい下段筒（２３２）とからなる二段のガイド用内筒（２３０）を垂設したものであり、このガイド用内筒の上段筒の外周面に螺旋状で通常２本の複数の案内斜面（２３３）を通常１８０度の使用目的に適合する回転範囲で下端から上端に形成し、下段筒の外周面に螺旋状で通常２本の複数の案内斜面（２３４）を通常９０度の使用目的に適合する回転範囲で下端から上端に形成し形成するものである。
【００１１】
また、スパウト（１００）は、図１及び図３に示すように、フランジ（１１０）に注出筒（１２０）を立設したもので、この注出筒の外周面にキャップとの螺合部（１２１）を形成し、内面には通常８本からなる複数の縦溝（１２２）を形成したものであり、この縦溝を摺動する通常４個の複数の突起（１３１）を外周面にもち、内面に通常８本の複数の縦溝（１３２）を形成し、且つ、内周面にキャップのガイド用内筒の上段筒の案内斜面（２３３）と摺接する通常２本の複数の案内斜面（１３３）を形成するカバー用筒体（１３０）を摺動可能に挿着し、このカバー用筒体の縦溝（１３２）に摺動する通常４個の複数の突起（１４１）を外周面にもち、下端に開封刃（１４２）を形成し、且つ、内周面に前記ガイド用内筒の下段筒の案内斜面（２３４）と摺接する通常２本の複数の案内斜面（１４４）を形成する開封用筒体（１４０）を摺動可能に挿着するものである。なお、開封用筒体の下端に形成する開封刃（１４２）は、通常、複数の三角歯を並べたものでありが、封止フィルムの破断片（３１）が容器内へ落下することを防ぐために、一部に欠刃部（１４２）を設けるものである。
【００１２】
そして、キャップを取り外す途中において、降下する開封用筒体の先端の開封刃で封止フィルムを破断し、キャップを取り外したときには、容器内側に突出する開封用筒体をカバー用筒体が覆い隠すように、商品企画時に設計するものである。
フランジ（１１０）の下面に封止フィルムを貼り付け、キャップは容器内面より注出口に差し込み、フランジと液体用紙容器をヒートシールする構造としても良い。
【００１３】
【発明の効果】
本発明の開封刃を内蔵する注出口栓を取り付けた液体用紙容器は、使用後の分別回収のために容器を解体しても、容器の内側に突出する開封刃がカバー用筒体で覆われているため、手などに怪我をする危惧がない。
【図面の簡単な説明】
【図１】液体用紙容器に取り付けた本発明の一実施例の開封刃を内蔵する注出口栓の  断面図である。
【図２】キャップを左回転して取り外すときに、開封用筒体が下降し開封刃で容器を封止する封止フィルムを破断したときの状態を示す説明図である。
【図３】キャップを取り去ったときに、スパウトから容器内側に突出する開封刃をもつ開封用筒体の外側をカバー用筒体で覆った状態を示す説明図である。
【図４】本発明の開封刃を内蔵する注出口栓を取り付けた液体用紙容器を開封したときの注出口栓の状態を示す説明図である。
【図５】従来の開封刃を内蔵する注出口栓を取り付けた液体用紙容器を開封したときの注出口栓の状態を示す説明図である。
【符号の説明】
１０……注出口栓
２０……液体用紙容器
２１……頂部傾斜板
３０……封止フィルム又はフィルム
３１……破断片
４０……内容物
１００……スパウト
１１０……フランジ
１２０……注出筒
１２１，２２１……螺合部
１２２，１３２……縦溝
１３０……カバー用筒体
１３１，１４１……突起
１３３，１４４，２３３，２３４……案内斜面
１４０……開封用筒体
１４２……開封刃
１４３……欠刃部
２００……キャップ
２１０……天板
２１１……封止リング
２２０……周壁
２３０……ガイド用内筒
２３１……上段筒
２３２……下段筒
【図１】
0003932579.tif 000002
【図２】
0003932579.tif 000003
【図３】
0003932579.tif 000004
【図４】
0003932579.tif 000005
【図５】
0003932579.tif 000006